(57)【特許請求の範囲】
【請求項１】
少なくとも１本のボールペンを含む複数の筆記体を外軸の内側に形成した仕切り板と外軸の中心部に配置した中軸とによって形成される収容室に前記各々の筆記体を収容し、前記中軸には溝部を形成すると共に板状の弾發部材を配置し、また、前記外軸後方にはノックキャップと前記中軸とともに回転する回転体を配置し、その回転体は前記外軸と相対的に回転可能であって、さらに前記ノックキャップの押圧により前記中軸が前進し、その中軸の前進により前記板状の弾撥部材の先端を内側に弾性変形させることで、前記筆記体を自重によって出没させるが如くした多芯筆記具であって、前記収容室を複数設けると共に、その収容室の側壁には、筆記体の収容時において、その筆記体の前方への移動を阻止する係合部を設けると共に、その係合部に当接する段部を前記筆記体に設けたことを特徴とする多芯筆記具。
【請求項２】
請求項１記載の多芯筆記具であって、前記ノックキャップの押圧により、軸筒内に配置した板状の弾撥部材の先端を内側に弾性変形させることで、前記筆記体を軸筒から突出させる共に、また、前記筆記体の収容時においては、前記弾撥部材の先端が外側に復帰することで前記筆記体を上昇させることを特徴とする多芯筆記具。
【発明の詳細な説明】
【０００１】
【発明の属する技術分野】
本発明は、少なくとも１本のボールペンを含む複数の筆記体を収容した多芯筆記具に関する。
【０００２】
【従来の技術】
本願出願人は、以前に、多芯筆記具として、実公昭６２−１３８３３号公報に記載の考案をなし、この考案を利用して、２本のボールペンを含む複数の筆記体を収容した多芯筆記具を製品化した。
詳述すると、外軸の内側には仕切壁が形成されており、また、外軸の内側中心には、中軸が回転、且つ、前後動自在に配置されている。そして、その中軸と前記仕切とによって筆記体（芯：方法で使用されている名称）が収納される収容室（芯室）が形成されている。また、その収容室の下方には、収納時、筆記体の先端が当接する受け部材が固定されている。そして、その収容室には、赤、黒の二本のボールペンと６色の色鉛筆芯が収納されている。
前記中軸には、その長手方向に板状の弾撥部材（蓋体）が配置されており、その弾撥部材は内側方向に変形可能なものとなっている。この弾撥部材が内側の方向に変形せしめられることによって、前記の各筆記体が外軸の先端から突出する。
【０００３】
【発明が解決しようとする課題】
上記の製品は、簡単な構造であるのにも関わらず複数の筆記体を容易に選別でき、その選別した筆記体を簡単な操作で容易に出没させることができるという、優れた効果を有している。
しかし、ボールペンの前方に位置する受け部材が収納時におけるボールペンの前方への移動阻止部材となっている。そのため収納時（特に、筆記体が出没する側を、下方に向けているとき）においては、ボールペンの先端部分であるインキ吐出部が受け部材に当接しており、その当接部分にインキが付着してしまっている。そして、その付着したインキが固化することによって、前記受け部材とインキ吐出部とを固着状態にしてしまい、使用するとき（突出操作時）にボールペンの突出動作に支障がでてしまうことがあり、強いては、突出させることができなくなってしまう危険性もあった。
【０００４】
また、例えば、黒色のインキが付着した箇所に、赤色の筆記体が収納され、その先端が前記の付着した黒色インキに触れると、筆記の際、付着した黒色インキが筆記面にも付着してしまい、赤い線に黒色、強いては、他の色鉛筆芯の色も混ざってしまい、いやな思いをしてしまうものであった。
【０００５】
【課題を解決するための手段】
本発明は、上記問題点に鑑みてなされたものであり、少なくとも１本のボールペンを含む複数の筆記体を外軸の内側に形成した仕切り板と外軸の中心部に配置した中軸とによって形成される収容室に前記各々の筆記体を収容し、前記中軸には溝部を形成すると共に板状の弾發部材を配置し、また、前記外軸後方にはノックキャップと前記中軸とともに回転する回転体を配置し、その回転体は前記外軸と相対的に回転可能であって、さらに前記ノックキャップの押圧により前記中軸が前進し、その中軸の前進により前記板状の弾撥部材の先端を内側に弾性変形させることで、前記筆記体を自重によって出没させるが如くした多芯筆記具であって、前記収容室を複数設けると共に、その収容室の側壁には、筆記体の収容時において、その筆記体の前方への移動を阻止する係合部を設けると共に、その係合部に当接する段部を前記筆記体に設けたことを要旨とする。
【０００６】
【作用】
ボールペンが係合部に係合することによって、その先端が浮上しており、また、弾撥体によってもボールペンの先端が浮上する。
【０００７】
【実施例】
外軸１の内側には８個の仕切壁２が形成されており、また、外軸１の中心部には中軸３が、回転自在で、且つ前後動可能に配置されている。その中軸３は、円形状をなしているが、長手方向には全域に渡って溝４が形成されている。その溝４には、板状の弾撥片５が配置されている。その弾撥片５は、常態においては、前記溝４の周縁部よりも外方向に力が作用しているが、溝４の内側の方向に変形可能なものとなっている。
また、前記中軸３の前方部外周には、円周状に係合部６、７が２つ形成されているが、１つであっても良い。後述するボールペンの段部
が当接する係合部である。
【０００８】
前記仕切壁２と中軸３、あるいは、弾撥片５とで形成される筆記体収容部８には、２本のボールペン９、１０と、６色の色鉛筆芯１１が収納されている。
また、外軸１の中間部の内面には、筆記体９〜１１の収納時、筆記体の前進移動を阻止する受け部材１２が固定されている。
ここで、前記ボールペン９、１０の下方には、段部９ａ、１０ａが形成されており、一方のボールペン１０の段部１０ａが前記中軸３の係合部６に当接している。そして、その当接により、ボールペン１０は、浮上している。つまり、その先端１０ｂが前記受け部材１２から離れた状態となっている。なお、係合部６からの、万が一の脱落を考慮し、前記係合部７は係合部６よりも若干、大径に形成するのが好ましい。
ここで、他方のボールペン９は、前記弾撥片５の外側方向への付勢力によって、外軸１の内壁面に押しつけられ、しかも、弾撥片５がその後端部５ａを支点とし外方向に弾撥力を作用させているので、前記ボールペン９は、若干押し上げられ、先端９ｂが前記受け部材１２から離れた状態となる。
【０００９】
以下この欄に述べる構成は、従来技術で挙げた構成とほぼ同様であるので、簡単に説明する。
前記中軸３の先端には、中継ぎ部材１３を介して３つ割りのチャック体１４が固定されている。そのチャック体１４は、前記外軸１の先端から突出しており、外軸１の先端部分がチャック体１４を開閉する部分となっている。符号１５は、前記中軸３やチャック体１４を後方に付勢するためにコイルスプリングである。
一方、中軸３の後端には、ノックキャップ１６が着脱自在に取り付けられており、その後端を前記外軸１の後端から突出させている。
また、外軸１の後端には、前記中軸３と共に回転し、クリップ１７が形成された回転体１８が取り付けられている。その回転体１８の前記弾性片５の凹部５ｂが位置する箇所には、内方突起１９が形成されている。
【００１０】
次ぎに作用について説明する。図１の状態よりボールペン９を突出させる場合には、ノックキャップ１６を押圧する。この押圧動作によって前記中軸３と中軸に取り付けられている弾性片５とが前進する。この前進に伴い、前記回転体１８の内方突起１９が、弾性片５を内側方向に変形せしめる。そして、この変形によって、ボールペン９が自重によって中軸３の溝４に入り込み、中継ぎ部材１３を通過し、チャック体１４へと入り込む。ここで、チャック体１４は前記の動作によって前進せしめられ拡開しているので、前記ボールペン９は、チャック体１４から突出する。
ここで、前記ノックキャップ１６の押圧操作を解除すれば、チャック体１４が後退すると共に閉鎖され、ボールペン９を把持する。
【００１１】
なお、前記ノックキャップ１６の移動距離は、そのノックキャップ１６の下端部と前記内方突起１９とで形成される距離Ｘで規制されており、その規制量によって前記チャック体１４の拡開量が規制されている。そして、その拡開量は、前記ボールペン９の段部９ａの外径より小さく、よって、ボールペン９が軸筒本体から抜け落ちることがない。
また、前記ノックキャップ１６の下方（開口部側）には、切り欠き部１６ａが形成されている。この切り欠き部１６ａを前記内方突起１９の位置に合わせ、ノックキャップ１６を押圧すれば、ノックキャップ１６の移動距離が長くなり、もって、チャック体１４の拡開量も大きくなり、ボールペン９が軸筒より脱落する。インキが消耗したときなど、そのボールペンの交換が可能となる。
【００１２】
次ぎに、収納したい場合であるが、外軸１の先端側を上方に向け、再び前記ノックキャップ１６を押圧する。この押圧動作によって、再び、チャック体１４が拡開すると共に、弾性片５が内方に変形し、ボールペン９が自重によって収容室へと落下する。
ここで押圧操作を解除すれば、弾性片５が復帰し、再び、ボールペン９を外軸１の内壁面に押し付ける。この押し付け動作により、外軸１の先端側を下方に向けても、ボールペン９の先端が受け部材から離隔した状態となっている。
【００１３】
次ぎに、色鉛筆芯１１を突出させる場合には、前記外軸１と回転体１８とを相対的に回転させる。この時、前記ボールペン９の側面は、中軸３に形成されている係合部６、７の表面をこするようにして移動する。そして、やがては、ボールペン９の段部９ａが前記係合部６を乗り越え、その段部９ａが係合部６に当接することもある。この状態になると、ボールペンの下方への移動が完全に阻止される。
前記の回転操作によって使用する色鉛筆芯が弾性片５に位置した時、その回転操作をやめる。ここで、前記ノックキャップ１６を押圧すると、選択された色鉛筆芯がチャック体１４から突出する。
【００１４】
第２例を図４に示し説明する。前記ボールペンの段部が当接する係合部を外軸１に形成した例である。
図５に示す例は、第３例であるが、本例においては、係合部２１を弾性片５にも形成している。弾性片５に係合部２１を形成することによって、ボールペンが弾性片５に位置しているときでも、受け部材１２からボールペンの先端を確実に離隔させておくことができる。
【００１５】
【発明の効果】
本発明は、少なくとも１本のボールペンを含む複数の筆記体を外軸の内側に形成した仕切り板と外軸の中心部に配置した中軸とによって形成される収容室に前記各々の筆記体を収容し、前記中軸には溝部を形成すると共に板状の弾發部材を配置し、また、前記外軸後方にはノックキャップと前記中軸とともに回転する回転体を配置し、その回転体は前記外軸と相対的に回転可能であって、さらに前記ノックキャップの押圧により前記中軸が前進し、その中軸の前進により前記板状の弾撥部材の先端を内側に弾性変形させることで、前記筆記体を自重によって出没させるが如くした多芯筆記具であって、前記収容室を複数設けると共に、その収容室の側壁には、筆記体の収容時において、その筆記体の前方への移動を阻止する係合部を設けると共に、その係合部に当接する段部を前記筆記体に設けたことを要旨としているので、ボールペンの突出性が経時的に良好であり、また、選択した筆記体自体の色の筆記を描くことができる。
【図面の簡単な説明】
【図１】  本発明の第１例を示す縦断面図。
【図２】  図１のＡーＡ線断面図。
【図３】  図１の要部拡大図。
【図４】  第２例を示す要部拡大図。
【図５】  第３例を示す要部拡大図。
【符号の説明】
１      外軸
２      仕切壁
３      中軸
４      溝
５      弾性片
６      係合部
７      係合部
８      筆記体収容部
９      ボールペン
１０    ボールペン
１１    色鉛筆芯
１２    受け部材
１３    中継ぎ部材
１４    チャック体
１５    コイルスプリング
１６    ノックキャップ
１７    クリップ
１８    回転体
１９    内方突起
２０    係合部
２１    係合部
【図１】
0003932706.tif 000002
【図２】
0003932706.tif 000003
【図３】
0003932706.tif 000004
【図４】
0003932706.tif 000005
【図５】
0003932706.tif 000006